(57)【要約】【課題】顧客によるクーポンの使用が促進されるようにする。【解決手段】クーポン情報記憶装置と情報処理端末装置とを備え、サービスの提供を受けるために利用されるクーポンを示すクーポン情報を媒体に出力するクーポン出力システムとして、クーポン情報記憶装置において、クーポン情報を記憶する記憶手段と、顧客の商品の支払いに対応する会計処理の内容を示す会計情報とクーポン情報とをそれぞれ別の媒体で情報処理端末装置から出力させる第１情報出力と、会計情報とクーポン情報とを１つの媒体で情報処理端末装置から出力させる第２情報出力とを行う情報出力手段とを備えて構成する。【選択図】図１２
2018088077.tif 000002
【特許請求の範囲】
【請求項１】
クーポン情報記憶装置と情報処理端末装置とを備え、サービスの提供を受けるために利用されるクーポンを示すクーポン情報を媒体に出力するクーポン出力システムであって、
前記クーポン情報記憶装置において、前記クーポン情報を記憶する記憶手段と、
顧客の商品の支払いに対応する会計処理の内容を示す会計情報と前記クーポン情報とをそれぞれ別の媒体で前記情報処理端末装置から出力させる第１情報出力と、会計情報と前記クーポン情報とを１つの媒体で前記情報処理端末装置から出力させる第２情報出力とを行う情報出力手段と、
を備えるクーポン出力システム。
【請求項２】
前記記憶手段は、前記クーポンの有効期限とクーポンの使用の履歴に関するクーポン使用履歴情報とをさらに記憶し、
前記情報出力手段は、現在から前記有効期限に至るまでの期間が所定以下の場合に、前記第２情報出力により、前記クーポン使用履歴情報に基づいて特定された未使用のクーポンに対応する前記クーポン情報を出力させる
請求項１に記載のクーポン出力システム。
【請求項３】
前記情報出力手段は、予め定められた発行期間において新規発行対象のクーポン情報を前記第１情報出力により出力させる
請求項２に記載のクーポン出力システム。
【請求項４】
前記情報出力手段は、前記有効期限に至るまでの期間が所定以上であって、新規発行対象のクーポン情報を出力済みである場合に、前記会計情報の媒体のみを出力させる第３情報出力を行う
請求項３に記載のクーポン出力システム。
【請求項５】
前記情報出力手段は、出力されるクーポン情報に、当該クーポン情報により示されるクーポンの使用可能回数を含める
請求項１から４のいずれか一項に記載のクーポン出力システム。
【請求項６】
サービスの提供を受けるために利用されるクーポンを示すクーポン情報を媒体に出力させる情報処理装置であって、
顧客の商品の支払いに対応する精算処理の内容を示す精算情報と前記クーポン情報とをそれぞれ別の媒体で出力させる第１情報出力と、精算情報と前記クーポン情報とを１つの媒体で出力させる第２情報出力とを行う情報出力手段
を備える情報処理装置。
【請求項７】
店員の操作により商品の登録が行われる登録装置と、前記登録装置により登録された商品についての精算を客の操作に応じて行う精算装置とを備え、サービスの提供を受けるために利用されるクーポンを示すクーポン情報を媒体に出力するクーポン出力システムにおいて、
前記クーポン情報を記憶する記憶手段と、
顧客の商品の支払いに対応する会計処理の内容を示す会計情報と前記クーポン情報とをそれぞれ別の媒体で前記精算装置または前記登録装置から出力させる第１情報出力と、会計情報と前記クーポン情報とを１つの媒体で前記精算装置または前記登録装置から出力させる第２情報出力とを行う情報出力手段と
を備えるクーポン出力システム。
【請求項８】
コンピュータを、
サービスの提供を受けるために利用されるクーポンを示すクーポン情報を媒体に出力させるにあたり、顧客の商品の支払いに対応する精算処理の内容を示す精算情報と前記クーポン情報とをそれぞれ別の媒体で出力させる第１情報出力と、精算情報と前記クーポン情報とを１つの媒体で出力させる第２情報出力とを行う情報出力手段
として機能させるためのプログラム。
【発明の詳細な説明】
【技術分野】
【０００１】
本発明は、クーポン出力システム、情報処理装置及びプログラムに関する。
【背景技術】
【０００２】
スーパーマーケットなどで、顧客へのサービスや売上の向上などを目的として、顧客にクーポンを発行することが行われている。クーポンが適用される商品を購入することで、例えば値引きを受けたり、より多くのポイントを得たりすることができる。
クーポンは、例えば冊子にまとめられた紙媒体として提供される。また、各種媒体の電子化の促進に伴い、クーポンの電子化も進められている。例えば、ホストシステムにより作成したクーポンを会員が使用する携帯端末に送信し、携帯端末によりクーポンを表示することによりクーポンの提示が可能なようにされたクーポン配信システムが知られている（例えば、特許文献１参照）。
【先行技術文献】
【特許文献】
【０００３】
【特許文献１】特開２０１４−２０６７７６号公報
【発明の概要】
【発明が解決しようとする課題】
【０００４】
しかしながら、クーポンは有効期限が設定されていることが一般的である。このため、冊子や携帯端末でクーポンを提示するような態様のもとでは、顧客が冊子を見たり、携帯端末にクーポンを表示させるなどしてクーポンの有効期限を確認しなければならない。このような作業は日常においては面倒な作業でもあるために、確認したときには有効期限を過ぎてしまっていたというようなことも起こりやすい。このようなことが生じた場合には、かえって顧客の購買意欲は低下してしまい、販売促進効果も得られにくくなる。
このようなことを考慮すると、顧客ができるだけクーポンの使用機会を逸することなく活用できるように、クーポンに関する情報の提供の仕方を改善することが好ましい。
【０００５】
本発明は、このような事情に鑑みてなされたもので、顧客によるクーポンの使用が促進されるようにすることを目的する。
【課題を解決するための手段】
【０００６】
上述した課題を解決するための本発明の一態様は、クーポン情報記憶装置と情報処理端末装置とを備え、サービスの提供を受けるために利用されるクーポンを示すクーポン情報を媒体に出力するクーポン出力システムであって、前記クーポン情報記憶装置において、前記クーポン情報を記憶する記憶手段と、顧客の商品の支払いに対応する会計処理の内容を示す会計情報と前記クーポン情報とをそれぞれ別の媒体で前記情報処理端末装置から出力させる第１情報出力と、会計情報と前記クーポン情報とを１つの媒体で前記情報処理端末装置から出力させる第２情報出力とを行う情報出力手段とを備えるクーポン出力システムである。
【０００７】
また、本発明の一態様は、サービスの提供を受けるために利用されるクーポンを示すクーポン情報を媒体に出力させる情報処理装置であって、顧客の商品の支払いに対応する精算処理の内容を示す精算情報と前記クーポン情報とをそれぞれ別の媒体で出力させる第１情報出力と、精算情報と前記クーポン情報とを１つの媒体で出力させる第２情報出力とを行う情報出力手段を備える情報処理装置である。
【０００８】
また、本発明の一態様は、店員の操作により商品の登録が行われる登録装置と、前記登録装置により登録された商品についての精算を客の操作に応じて行う精算装置とを備え、サービスの提供を受けるために利用されるクーポンを示すクーポン情報を媒体に出力するクーポン出力システムにおいて、前記クーポン情報を記憶する記憶手段と、顧客の商品の支払いに対応する会計処理の内容を示す会計情報と前記クーポン情報とをそれぞれ別の媒体で前記精算装置または前記登録装置から出力させる第１情報出力と、会計情報と前記クーポン情報とを１つの媒体で前記精算装置または前記登録装置から出力させる第２情報出力とを行う情報出力手段とを備えるクーポン出力システムである。
【０００９】
また、本発明の一態様は、コンピュータを、サービスの提供を受けるために利用されるクーポンを示すクーポン情報を媒体に出力させるにあたり、顧客の商品の支払いに対応する精算処理の内容を示す精算情報と前記クーポン情報とをそれぞれ別の媒体で出力させる第１情報出力と、精算情報と前記クーポン情報とを１つの媒体で出力させる第２情報出力とを行う情報出力手段として機能させるためのプログラムである。
【発明の効果】
【００１０】
本発明によれば、顧客によるクーポンの使用が促進されるようになるという効果が得られる。
【図面の簡単な説明】
【００１１】
【図１】第１実施形態におけるＰＯＳシステムの構成例を示す図である。
【図２】第１実施形態におけるＰＯＳレジスタの外観例を示す正面図及び側面図である。
【図３】第１実施形態におけるＰＯＳレジスタの外観例を示す斜視図である。
【図４】第１実施形態におけるＰＯＳレジスタの構成例を示す図である。
【図５】第１実施形態における上位情報処理装置の構成例を示す図である。
【図６】第１実施形態における会員情報とクーポンセット情報の一例を示す図である。
【図７】第１実施形態における現計画面の一例を示す図である。
【図８】第１実施形態におけるレシートとクーポンセットリストとの一例を示す図である。
【図９】第１実施形態におけるクーポンセットリストの一例を示す図である。
【図１０】第１実施形態におけるクーポンセットリストの一例を示す図である。
【図１１】第１実施形態における残クーポン情報付レシートの一例を示す図である。
【図１２】第１実施形態におけるＰＯＳレジスタが実行する処理手順例を示すフローチャートである。
【図１３】第１実施形態における上位情報処理装置が実行する処理手順例を示すフローチャートである。
【図１４】第２実施形態におけるクーポン出力システムの構成例を示す図である。
【発明を実施するための形態】
【００１２】
＜第１実施形態＞
以下、本発明の実施形態としてのクーポン出力システムについて図面を参照して説明する。
図１は、本実施形態におけるクーポン出力システムの全体的な構成例を示している。本実施形態のクーポン出力システムは、１以上のＰＯＳレジスタ１（情報処理端末装置の一例）と上位情報処理装置１００（クーポン情報記憶装置の一例）とを備える。ＰＯＳレジスタ１の各々と上位情報処理装置１００とは通信を介して接続される。ＰＯＳレジスタ１と上位情報処理装置１００との通信はネットワークであってもよいし、専用線であってもよい。また、上位情報処理装置１００とＰＯＳレジスタ１との通信は、有線であっても無線であってもよく、さらに通信路において有線と無線とが連携して中継するような態様でもよい。
【００１３】
ＰＯＳレジスタ１は、店舗に備えられ、店員の操作に応じて顧客の買上商品に対応する会計処理を行う装置である。また、本実施形態のＰＯＳレジスタ１は、店舗が顧客に提供するクーポンに関するクーポン情報を出力することができる。ＰＯＳレジスタ１は、クーポン情報を、レシートの印字（印刷）機能を利用して、レシート用の印字用紙に印字するようにして出力する。
ここでのクーポンは、店舗から顧客に特典を与えるためのチケット（券）に相当するものである。具体的に、クーポンにより顧客に提供される特典としては、顧客が購入する対象の商品についての値引きや、対象の商品の購入に応じて付与されるポイントの付与などを挙げることができる。なお、本実施形態において、商品は有形のものだけではなく、サービスとも呼ばれる無形のものも含む。
【００１４】
上位情報処理装置１００は、ＰＯＳレジスタ１の上位装置として、ＰＯＳレジスタ１が利用する情報やＰＯＳレジスタ１から受け渡される情報の管理を行う。
例えば上位情報処理装置１００は、商品マスタの情報を記憶し、ＰＯＳレジスタ１に商品マスタの情報を送信することができる。ＰＯＳレジスタ１は、受信された商品マスタを利用して会計処理を行う。
また、上位情報処理装置１００は、クーポン情報を管理する。ＰＯＳレジスタ１は、上位情報処理装置１００が管理するクーポン情報を利用してクーポン情報の出力を行う。
また、本実施形態の上位情報処理装置１００は、会員としての顧客ごとのポイントを管理する。ここでのポイントは、顧客が店舗にて商品を購入することに応じて所定の付与規則に従って顧客に付与される点数である。累積されたポイントは、例えば商品の代金の支払いに充てることに利用したり、景品との交換、特定のサービスを受けるなどの際の対価として利用したりすることができる。
【００１５】
同図において示される複数のＰＯＳレジスタ１は、同じ店舗に備えられていてもよいし、複数の店舗に適宜配分されるように備えられていてもよい。これに伴い、上位情報処理装置１００は、１つの店舗に対応して備えられるものであってもよいし、複数の店舗に対応して備えられるものであってもよい。
【００１６】
図２及び図３は、本実施形態におけるＰＯＳ（Point Of Sales）レジスタ１の外観例を示している。図２（ａ）はＰＯＳレジスタ１を操作する店員（オペレータ）側（前方）から本実施形態のＰＯＳレジスタ１を見た正面図であり、図２（ｂ）はＰＯＳレジスタ１の側面図である。また、図３は、ＰＯＳレジスタ１を右前方からみた斜視図である。
【００１７】
同図のＰＯＳレジスタ１は、タッチパネル付表示部１４と、キー操作部１５と、顧客用表示部１６と、自動釣銭機１７と、リーダ部１８と、印字部１９と、ドロア３０とを備える。
【００１８】
タッチパネル付表示部１４は、タッチパネル１４ａを備えた店員用の表示装置である。タッチパネル付表示部１４においては、商品登録処理に応じた商品登録画面や会計処理に応じた会計画面などが表示される。また、店員は、タッチパネル１４ａに対して商品登録、会計などに関する所定の操作を行うことができる。
【００１９】
キー操作部１５は、商品登録処理時において数量、会計処理時において顧客から受け取った預金の金額の入力を行うための数字キー、会計を締めるための締めキー等の操作キーが設けられたキーボードである。
【００２０】
顧客用表示部１６は、顧客に対して買上げ対象の商品の商品名や価格を通知するための表示装置である。
自動釣銭機１７は、顧客に支払うべき釣銭のうち、少なくとも貨幣を釣銭排出口１７ａに排出するための釣銭機であり、顧客から預かった預金のうち少なくとも貨幣を投入するための預金投入口１７ｂを備える。
【００２１】
リーダ部１８は、バーコードや二次元コード等のコード情報の読み取りを行うコードリーダである。
コードリーダとしてのリーダ部１８により、買上げ対象の商品や品券に付されたコード情報（例えば、バーコード等）、または、商品カタログや商品注文シートに表記されたコード情報、また会員カードに表記された会員番号などのコード情報を読み取ることができる。また、リーダ部１８は、ＲＦＩＤタグと通信を行うリーダライタなどを含んでもよい。これにより、例えば会員カードがＲＦＩＤタグを備えるものである場合には、会員カードのＲＦＩＤタグから会員番号などの情報を読み込むことができる。
【００２２】
印字部１９は、買上げ対象の商品の明細書であるレシート（会計伝票）を印字出力するプリンタ装置である。
【００２３】
ドロア３０は、顧客から受け取った紙幣及び貨幣を収納する収納部であり、キー操作部１５の操作に応じて図２（ｂ）の矢印Ａの方向に引き出されるようになっている。
【００２４】
図４は、ＰＯＳレジスタ１の構成例を示すブロック図である。同図において、図２に示した構成に対応するブロックには同一の符号を付してその説明を省略する。
同図に示すように、ＰＯＳレジスタ１は、ＣＰＵ（Central Processing Unit）１１、記憶部１２、ＲＡＭ（Random Access Memory）１３、タッチパネル付表示部１４、キー操作部１５、顧客用表示部１６、自動釣銭機１７、リーダ部１８、印字部１９、通信部２０及びドロア３０を備える。
ＣＰＵ１１、記憶部１２、ＲＡＭ１３、タッチパネル付表示部１４、キー操作部１５、顧客用表示部１６、自動釣銭機１７、リーダ部１８、印字部１９、通信部２０及びドロア３０は、内部バス及び通信線を介してそれぞれ接続されている。
【００２５】
ＣＰＵ１１は、プログラムを実行することにより、ＰＯＳレジスタ１における各種の処理を実行する。ＣＰＵ１１の処理によってＰＯＳレジスタ１としての各種機能が実現される。
通信部２０は、例えば上位情報処理装置１００などと通信を行う。
【００２６】
記憶部１２は、ＣＰＵ１１に実行させるプログラム、タッチパネル付表示部１４に表示させる画像データ等を記憶する。
【００２７】
ＲＡＭ１３は、記憶部１２から読み出されたプログラムやワークエリアを展開するメモリである。また、ＲＡＭ１３には、例えばストアコントローラから取り込んだ商品に関する情報（商品マスタ）等が記憶される。
【００２８】
図５は、上位情報処理装置１００の構成例を示すブロック図である。同図の上位情報処理装置１００は、ＣＰＵ１０１、通信部１０２、ＲＡＭ１０３及び記憶部１０４を備える。
【００２９】
ＣＰＵ１０１は、プログラムを実行することにより、上位情報処理装置１００における各種の処理を実行する。ＣＰＵ１０１の処理によって上位情報処理装置１００としての各種機能が実現される。
通信部１０２は、ＰＯＳレジスタ１と通信を行う。
ＲＡＭ１０３は、記憶部１０４から読み出されたプログラムやワークエリアを展開するメモリである。
【００３０】
記憶部１０４は、ＣＰＵ１１が利用する情報を記憶する。記憶部１０４は、ＣＰＵ１１が実行するプログラム（図示せず）を記憶する。また、記憶部１０４は、会員情報テーブル１４１とクーポン情報テーブル１４２とを記憶する。
【００３１】
会員情報テーブル１４１は、会員として登録された顧客ごとのついての情報（会員情報）をテーブル形式で格納したデータである。
クーポン情報テーブル１４２は、クーポンに関する情報であるクーポン情報をテーブル形式で格納したデータである。本実施形態においては、クーポンの適用対象の商品ごとに対応するクーポン（個別クーポン）が設定される。そのうえで、各会員には、商品の購入履歴や顧客の属性などに応じて顧客ごとに適合した個別クーポンの組み合わせ（クーポンセット）が設定される。本実施形態のクーポン情報テーブル１４２は、上記のように設定されるクーポンセットごとに対応するクーポン情報であるクーポンセット情報をテーブル形式で格納する。
【００３２】
図６は、会員情報テーブル１４１において１の会員に対応する会員情報と、クーポン情報テーブル１４２において１のクーポンセットに対応するクーポンセット情報の定義内容例を示している。図６（ａ）は会員情報の内容例を示し、図６（ｂ）はクーポンセット情報の内容例を示す。
【００３３】
図６（ａ）の会員情報は、会員番号、会員属性、購入履歴、ランク及び累計ポイントの各領域を含む。
会員番号の領域は、会員を一意に識別する識別子としての番号である会員番号を格納する。
会員属性の領域は、会員についての個人的な属性（会員属性）を示す情報を格納する。例えば、会員属性としては会員の年齢、性別、住所などを挙げることができる。
購入履歴の領域は、会員のこれまでにおける商品の購入に関する履歴（購入履歴）を格納する。
ランクの領域は、会員に設定されているランクを示す情報を格納する。ランクは会員の顧客としての重要度に対応するもので、例えば、所定の段階数が定められている。そして会員ごとのランクは、会員の継続期間、購入額の累計、累計ポイントなどに応じて設定される。
累計ポイントの領域は、会員に付与されているポイントの累計（累計ポイント）を示す値を格納する。
【００３４】
また、図６（ｂ）のクーポンセット情報は、クーポンセットＩＤ、会員番号、発行期間、発行フラグ、有効期間、個別クーポンリスト、印字内容及びクーポン使用履歴情報の各領域を含む。
クーポンセットＩＤの領域は、設定されたクーポンセットを一意に識別する識別子としてのクーポンセットＩＤを格納する。
会員番号の領域は、クーポンセットが設定された会員の会員番号を格納する。従って、会員情報における会員番号と一致する会員番号を含むクーポンセット情報を対応付けることにより、会員にいずれのクーポンセットが設定されているのかを特定することができる。
なお、会員番号の領域には、複数の異なる会員番号が格納されるようにしてもよい。これにより、１つのクーポンセットを複数の会員に設定することができる。
発行期間の領域は、クーポンセットを会員に対して発行できる期間（発行期間）を示す情報を格納する。発行期間は、例えば発行開始日と発行終了日とによって表すことができる。
発行フラグの領域は、会員番号の領域により示される会員としての顧客にクーポンセットリストが既に発行されたか否かを示す発行フラグを格納する。本実施形態において、クーポンセットリストは、会員としての顧客に対して１回発行されるもので、２回以上発行されることはない。
有効期間の領域は、クーポンセットリストに含まれる個別クーポンについての有効期間を示す情報を格納する。有効期間は、例えば有効期間開始日と有効期間終了日（有効期限）とによって表すことができる。
発行期間と有効期間の関係としては、例えば、発行期間開始日については有効期間開始日よりも前となるようにして、発行期間終了日については有効期間に含まれる日を設定することができる。具体的に、この場合の発行期間終了日は有効期間終了日と同じとしてもよいし、有効期間終了日より前の特定の日としてもよい。また、発行期間終了日を有効期間開始日よりも前に設定してもよい。
個別クーポンリストの領域は、クーポンセットに含まれる個別クーポンごとのクーポン情報のリストを格納する。
印字内容の領域は、クーポンセットに含まれる個別クーポンごとに対応する印字内容を示す印字データを格納する。
クーポン使用履歴情報の領域は、クーポンセットに含まれる個別クーポンについての、会員による使用の履歴に関する情報（クーポン使用履歴情報）を格納する。
【００３５】
次に、上記構成のＰＯＳレジスタ１と上位情報処理装置１００とによるクーポン出力システムによるクーポン情報の出力の態様例について説明する。
会員である顧客は、店舗にて商品を購入するにあたり、代金の支払いのためにＰＯＳレジスタ１にまで赴いた。ＰＯＳレジスタ１を操作する店員は、顧客が購入しようと持ってきた商品を登録する操作を行う。また、店員は、会員である顧客が提示した会員カードから会員番号をリーダ部１８により読み込ませる操作を行う。
そして、店員は、商品の登録を完了すると小計操作を行う。そのうえで、店員は、顧客からの現金の受け取りに応じた会計処理をＰＯＳレジスタ１に実行させ、現計操作を行う。あるいは、店員は、クレジットカードやプリペイドカードなどの使用に応じた会計処理をＰＯＳレジスタ１に実行させ、現計操作を行う。
【００３６】
図７は、現計操作が行われたことに応じてＰＯＳレジスタ１のタッチパネル付表示部１４に表示される現計画面の例を示している。現計画面においては現計結果が示される。同図の現計画面においては、現計結果として、以下の内容が表されている。
つまり、商品として単価が１１２円のたまご１０個パックが１つ買上商品として登録され、その小計操作が行われたことに応じて小計金額が１１２円であることが示されている。また、１１２円の単価が内税であることから顧客が支払うべき代金に相当する合計金額も１１２円であることが示されている。また、顧客が支払いのために１１２円の現金を店員に渡したことで、預かり金額として１１２円が入力され、釣銭は０円であることが示されている。
【００３７】
現計操作が行われたことで、ＰＯＳレジスタ１は、上記の現計画面を表示するとともに、今回の会計処理の内容を示す会計情報が印字されたレシートを印字部１９から発行する。ここで、本実施形態のクーポン出力システムにあっては、レシートの発行にあたり、クーポン情報をどのような態様により出力すべきかについての判定が行われる。
本実施形態において、クーポン情報の出力の態様としては以下の２つのうちのいずれかとなる。
クーポン情報の出力の態様の１つ目は、クーポンセットリストの発行である。クーポンセットリストとは、今回商品を購入した会員としての顧客に対応して設定されたクーポンセットに含まれる全ての個別クーポンについてのクーポン情報のリストをレシート用の用紙に印字したものである。このようなクーポンセットリストは、レシートとしての１枚のシートとは別のもう１枚のシートとして印字される。従って、クーポンセットリストを発行する際には、ＰＯＳレジスタ１は、印字部１９によりまずレシート用の用紙にレシートを印字してから用紙の切り離しを行い、次にクーポンセットリストをレシート用の用紙に印字して用紙の切り離しを行う。なお、上記とは逆の順で、クーポンセットリストを先に印字して用紙の切り離しを行ってからレシートを印字してもよい。
【００３８】
このようなクーポンセットリストの発行は、例えば複数のクーポン（個別クーポン）が綴じられた冊子を顧客に提供することに相当する。ただし、本実施形態におけるクーポンセットリストは、実際の冊子の場合のように顧客が個別クーポンごとに対応する部分を切り離して使用する必要はない。本実施形態においては、会員としての顧客が個別クーポンを使用したか否かは、会員情報における購入履歴（図６（ａ））と、クーポン使用履歴情報（図６（ｂ））とを照合することによって判定できる。従って、本実施形態におけるクーポンセットリストは、会員である顧客に対して、どのようなクーポンが使用可能であるのかを告知するものとして機能する。また、会員としての顧客は、会計時に会員証を提示しさえすれば、買上商品に含まれるクーポン適用対象の商品にクーポンが適用される。
そして、前述のように、クーポンセットリストにより告知される内容は、顧客ごとに異なる。クーポンセットリストにおける個別クーポンの組み合わせ（即ち、クーポン適用対象の商品の組み合わせ）は、会員情報における会員属性、購入履歴、ランク、累計ポイントなどの情報の全てあるいは一部に基づいて、上位情報処理装置１００が決定することができる。
【００３９】
本実施形態においては、上位情報処理装置１００により、現在日時がクーポンセットリストの発行期間に含まれており、かつ、まだクーポンセットリストが一度も発行されていない場合に、クーポンセットリストを発行すべきと判定される。
【００４０】
図８は、レシート発行に際して、クーポンセットリストを発行すべきことが判定されたことに応じてＰＯＳレジスタ１から発行されるレシートとクーポンセットリストとの一例を示している。図８（ａ）は、レシートの一例を示し、図８（ｂ）はクーポンセットリストの一例を示す。
図８（ａ）に示されるレシートは、図７の現計画面において示される現計結果と同じ内容の会計情報が印字されている。
また、図８（ｂ）のクーポンセットリストにおいては、個別クーポンごとに対応して、クーポン適用対象の商品名と、クーポンが適用されるまでの購入制限数と、クーポン適用対象の商品を購入した際に付与される特典としてのポイントが印字された例が示されている。
【００４１】
上記の図８（ｂ）のクーポンセットリストは、個別クーポンごとに対応して付与される特典としてポイントの加算が設定された例である。しかしながら、個別クーポンに対応して付与される特典はポイントの加算に限定されない。
図９は、ポイントの加算の特典によるクーポンセットリストの一例として、個別クーポンに対応して付与される特典として通常価格よりも商品の価格を値引きを設定した場合のクーポンセットリストを示す。同図のクーポンセットリストにおいては、個別クーポンごとに対応して、クーポン適用対象の商品名と、クーポンが適用されるまでの購入制限数と、クーポン適用対象の商品を購入した際に付与される特典としての値引き後の価格もしくは値引き額が印字された例が示されている。
【００４２】
また、図８（ｂ）と図９に示されるクーポンセットリストは文字の印字によりクーポン情報が出力されたものとなっている。しかしながら、クーポンセットリストは、例えば絵柄の印字（印刷）によりクーポン情報が出力されてもよい。なお、本実施形態において、印刷と印字とは同義で用いる。
図１０は、絵柄の印字によりクーポン情報が出力されたクーポンセットリストの一例を示している。同図のクーポンセットリストにおいては、個別クーポンごとに対応する絵柄が上から下にかけて順に印字された態様となっている。同図の個別クーポンに対応する１つの絵柄においては、クーポン適用対象の商品名と、クーポンが適用されるまでの購入制限数と、クーポン適用対象の商品を購入した際に付与される特典としてのポイントとが示された例が示されている。なお、このように絵柄によりクーポン情報が出力される態様においても、図９のように個別クーポンごとに応じてポイントに代えて値引きに関する価格が示されてよい。
【００４３】
図８（ｂ）、図９及び図１０に示される印字内容は、それぞれ、図６（ｂ）のクーポンセット情報における印字内容の領域に格納されたデータが反映されたものである。ＰＯＳレジスタ１は、上位情報処理装置１００から送信された印字内容のデータを利用してクーポンセットリストの印字を行う。
【００４４】
店員は、上記のように発行されたレシートとクーポンセットリストとを顧客に渡す。顧客は、レシートとともに渡されたクーポンセットリストを見ることで、自分が利用可能な複数のクーポンがどのようなものであるのかについて容易に把握できる。また、このようなクーポンセットリストは例えば財布や鞄などの顧客が身近で使用するものに入れておけば、顧客の好きなときに取り出してすぐに見ることができる。この場合、顧客としては簡単に自分が使用できるクーポンを確認して使用できることから、クーポンの使用を忘れたり面倒に感じたりする度合いが減り、クーポンの活用が促進されることとなる。これに伴い、店舗としても商品の販売が促進され、売上の向上が期待される。
【００４５】
クーポン情報の出力の態様の２つ目は、発行済みのクーポンセットリストに含まれる個別クーポンのうち、有効期間を経過していない未使用の個別クーポンについてのクーポン情報を含むレシートを発行するというものである。有効期間を経過していない未使用の個別クーポンについては、使用されずに残っているクーポンということでもあることから以降において残クーポンとも呼ぶ。
【００４６】
図１１は、上記のように残クーポンのクーポン情報を含んで発行された残クーポン情報付レシートの一例を示している。同図のレシートは、先頭のヘッダ部ｈｄの下側にレシート部ｐｔ１が印字され、今回の会計結果に応じた会計情報が示されている。残クーポン情報付レシートにおいてヘッダ部ｈｄとレシート部ｐｔ１とによる部分は、図８（ａ）に示したレシートと同様の内容である。
そのうえで、残クーポン情報付レシートにおいては、レシート部ｐｔ１の下に残クーポン情報部ｐｔ２が印字されている。残クーポン情報部ｐｔ２においては、残クーポンとしての個別クーポンごとのクーポン情報が印字される。同図においては、３つの残クーポンのクーポン情報が印字されており、各個別クーポンに対応するクーポン情報として、商品名と、クーポンの使用可能回数とが印字された例が示されている。クーポンの使用可能回数は、当該クーポンが一回使用されるごとに１つずつ少なくなっていく。
【００４７】
このように、本実施形態においては、クーポンセットリストが発行された後において残クーポン情報付レシートが発行される。残クーポン情報付レシートを見ることで、顧客は、まだ自分が使用していないクーポンが何であるのかを、商品の購入に際してレシートによって把握できる。これにより、残クーポンの使用が促される（活用される）こととなって、顧客は特典を受ける機会を失うことがなく、店舗としてもさらに商品の販売が促進される。
【００４８】
本実施形態において、残クーポン情報付レシートは、クーポンセットリストに含まれる個別クーポンの有効期間終了日（有効期限）に至るまでの現在からの期間（残有効期間）が所定以下である場合に発行される。
例えば、残クーポン情報付レシートの発行は、発行されたクーポンセットリストに含まれる個別クーポンの有効期間において、会員としての顧客の商品の代金の支払いに応じてＰＯＳレジスタ１からレシートを発行するごとに行われるようにされてもよい。しかしながら、有効期間が開始されて当初は、まだ、使用されていない個別クーポンが多数残っている。このため、有効期間のはじめのうちから残クーポン情報付レシートを発行しても、残クーポン情報が多すぎるために、顧客も残クーポン情報の内訳を把握しにくい。また、個別クーポン情報が多いほど、残クーポン情報付レシートにおける残クーポン情報部ｐｔ２の部分が長くなってしまう。このため、店舗側としてはレシート用の用紙を大量に消費してしまうことになり、顧客としても、毎回、長い残クーポン情報付レシートを受け取ることに煩わしさを覚える可能性がある。
そこで、本実施形態では、残有効期間が所定より長い場合には、残クーポン情報付レシートは発行せずに通常のレシートを発行する。一方、残有効期間が所定以内となってから残クーポン情報付レシートを発行する。このようにすれば、有効期間が終わりに近くなってから残クーポン情報付レシートが発行されることになるので、残クーポン情報付レシートに印字される残クーポン情報は少なくなっている。これにより、顧客は、自分がまだ使用していないクーポンが何であるのかを把握しやすい。また、残クーポン情報部ｐｔ２の部分も短くすることができるので、レシート用の用紙の節約が図られ、顧客も煩わしさを覚えることが無くなる。
【００４９】
図１２のフローチャートを参照して、本実施形態のＰＯＳレジスタ１が実行する処理手順例について説明する。
ステップＳ１０１：会員である顧客からの買上商品についての会計にあたり、ＰＯＳレジスタ１を操作する店員は、まず顧客から受け渡された会員証に記録されている会員番号をリーダ部１８により読み込ませる操作を行う。ＰＯＳレジスタ１は、リーダ部１８により読み込まれた会員番号を入力する。これにより、以降の会計処理がステップＳ１０１により入力された会員番号と対応付けられる。
なお、同図では、商品登録操作の開始前において会員番号を入力する場合を例に挙げている。しかしながら、会員番号の入力は、例えば後述のステップＳ１０４にて現計操作が受け付けられるまでにおいて任意のタイミングで行うことができるようにしてもよい。
【００５０】
ステップＳ１０２：続いて、店員は、顧客の買上商品を登録する商品登録操作を行っていく。この操作に応じて、ＰＯＳレジスタ１は、商品登録操作により登録対象とされた商品の登録処理（商品登録処理）を実行する。
【００５１】
ステップＳ１０３：店員は、商品登録操作を終了すると小計操作を行う。小計操作は、例えばタッチパネル付表示部１４に表示される小計キーまたはキー操作部１５に配置された小計キーの操作である。ＰＯＳレジスタ１は、このような小計操作を受け付け、小計操作を受け付けたことに応じて小計画面を表示させる。
【００５２】
ステップＳ１０４：店員は、小計画面を見て顧客が支払うべき合計金額を確認し、現金、クレジットカード、プリペイドカード、ポイントカードなどのうちのいずれかの支払方法（２以上の支払方法が併用されてもよい）に応じた会計処理をＰＯＳレジスタ１に実行させる。そのうえで、店員は会計処理の終了に応じて、今回の会計処理を締めるための現計操作を行う。ＰＯＳレジスタ１は、現計操作を受け付け、例えばタッチパネル付表示部１４に現計画面を表示させる。
【００５３】
ステップＳ１０５：また、ＰＯＳレジスタ１は、現計操作を受け付けたことに応じて、クーポン出力問合せを上位情報処理装置１００に送信する。クーポン出力問合せは、今回の会計処理に応じたクーポン情報の出力に関する問合せを上位情報処理装置１００に対して行うためのコマンドである。クーポン出力問合せには、ステップＳ１０１において入力された会員番号が含まれる。また、クーポン出力問合せには、会計情報も含まれる。会計情報には、今回の会計に応じて顧客により購入された商品が示されている。また、会計情報には、今回の会計に応じて顧客により購入された商品に、クーポンの適用対象となっている商品があった場合には、その商品に対応するクーポンが使用されたことを示す情報（クーポン使用済情報）が付加される。
【００５４】
ステップＳ１０６：上位情報処理装置１００はステップＳ１０５により送信されたクーポン出力問合せに対する応答として、クーポン出力指示情報をＰＯＳレジスタ１に送信する。ＰＯＳレジスタ１は、上位情報処理装置１００から送信されたクーポン出力指示情報を受信する。
【００５５】
ステップＳ１０７：クーポン出力指示情報は、今回の会計処理に応じたクーポン情報の出力に関して、以下の３つのうちいずれか１つを指示する内容を有する。
クーポン出力指示情報の指示内容の１つ目は、クーポン情報の出力として「クーポンセットリスト発行」を指示するというものである。「クーポンセットリスト発行」の指示は、以下の条件を満たす場合に得られる。つまり、今回の会計処理に応じて代金の支払いを行った会員としての顧客に対応するクーポンセットリストが設定されているうえで、現在の日付が設定されたクーポンセットリストの発行期間に含まれており、かつ、まだクーポンセットリストが発行されていないこと、という条件である。
クーポン出力指示情報の指示内容の２つ目は、クーポン情報の出力として「残クーポン情報印字」を指示するというものである。残クーポン情報印字は、図１１に示したように、会計情報が印字されるレシートのレシート部ｐｔ１に続けて残クーポン情報部ｐｔ２に残クーポン情報を印字することを示す。「残クーポン情報印字」の指示は、前述のように発行済みのクーポンセットリストに含まれる個別クーポンの残有効期間が所定以下であるとの条件が満たされた場合に得られる。
クーポン出力指示情報の指示内容の３つ目は、クーポン情報の出力として「クーポン出力不要」を指示するというものである。「クーポン出力不要」によっては、クーポンセットリストと残クーポン情報のいずれも出力しないことが指示される。「クーポン出力不要」の指示は、新規発行対象のクーポンセットリストがないうえで、さらに発行済みのクーポンセットリストに含まれる個別クーポンの残有効期間が所定より長いという条件が満たされた場合に得られる。
そこで、ＰＯＳレジスタ１は、ステップＳ１０６により受信されたクーポン出力指示情報が、上記の「クーポンセットリスト発行」、「残クーポン情報印字」及び「クーポン出力不要」のいずれを指示する内容であるかについて判定する。
【００５６】
ステップＳ１０８：クーポン出力指示情報の指示内容が「クーポンセットリスト発行」を示していたことが判定された場合、ＰＯＳレジスタ１は、図８〜図１０に示したように、レシートとクーポンセットリストとを切り離してそれぞれ別の用紙に印字して発行する。
そこで、ＰＯＳレジスタ１は、まず、印字部１９により今回の会計結果を示す会計情報が反映されたレシートを発行させる。この際、印字部１９は、レシートの内容を印字したレシート用の用紙を切り離して排出する。
【００５７】
ステップＳ１０９：次にＰＯＳレジスタ１は、印字部１９によりクーポンセットリストを発行させる。クーポン出力指示情報が「クーポンセットリスト発行」を指示するものである場合、クーポン出力指示情報には、クーポンセットリストとして印字すべき内容が示される印字データが含まれている。クーポン出力指示情報には、クーポンセット情報における印字内容の領域に格納されていたデータが印字データとして含められる。ＰＯＳレジスタ１は、ステップＳ１０９において、受信されたクーポン出力指示情報に含まれる印字データを利用して、クーポンセットリストにおける個別クーポンごとのクーポン情報を印字部１９に印字させる。
【００５８】
なお、上記のステップＳ１０８とステップＳ１０９とによれば、先にレシートを発行し、次いでクーポンセットリストを発行するようにされている。しかしながら、先にクーポンセットリストを発行し、次にレシートを発行するようにしてもよい。
【００５９】
ステップＳ１１０：また、ステップＳ１０７によりクーポン出力指示情報の指示内容が「残クーポン情報印字」を示していたことが判定された場合、ＰＯＳレジスタ１は、残クーポン情報付レシートを印字部１９により発行させる。
クーポン出力指示情報が「残クーポン情報印字」を指示するものである場合、クーポン出力指示情報には残クーポンをそれぞれ示す印字データが含まれている。ＰＯＳレジスタ１は、ステップＳ１１０において、今回の会計結果を示す会計情報をレシート用の用紙に印字した後、続けてクーポン出力指示情報に含まれる残クーポンの印字データを同じレシート用の用紙に印字し、用紙を切り離す。このようにして、図１１に例示したようにヘッダ部ｈｄに続けて、レシート部ｐｔ１、残クーポン情報部ｐｔ２が上から下にかけて印字された残クーポン情報付レシートが発行される。
【００６０】
ステップＳ１１１：また、ステップＳ１０７によりクーポン出力指示情報の指示内容が「残クーポン情報印字」を示していたことが判定された場合、ＰＯＳレジスタ１は、今回の会計結果を示す会計情報が印字されたレシートを発行する。この場合、クーポンセットリストと残クーポン情報付レシートのいずれも発行されない。
【００６１】
次に、図１３のフローチャートを参照して、上位情報処理装置１００がクーポン出力指示情報の受信に対応して実行する処理手順例について説明する。
ステップＳ２０１：先の図１２のステップ１０５によりクーポン出力問合せがＰＯＳレジスタ１から送信されたことに応じて、上位情報処理装置１００は、クーポン出力問合せを受信する。
【００６２】
ステップＳ２０２：クーポン出力問合せには、前述のように、会員番号と会計情報とが含まれている。会計情報には、今回の会計に応じて顧客により購入された商品が示され、クーポンの適用対象となっている商品があった場合にはクーポン使用済情報が付加される。そこで、上位情報処理装置１００は、受信されたクーポン出力問合せに含まれる会計情報を利用して、対応の会員についての会員情報（図６（ａ））における購入履歴とクーポンセット情報（図６（ｂ））におけるクーポン使用履歴情報とを更新する。
このため、上位情報処理装置１００は、会員情報テーブル１４１からクーポン出力問合せに含まれるのと同じ会員番号を格納する会員情報を検索し、検索した会員情報における購入履歴を、クーポン出力問合せに含まれる会計情報を利用して更新する。つまり、上位情報処理装置１００は、今回の会計に応じて購入された商品を購入履歴に追加する。
さらに、上位情報処理装置１００は、クーポン出力問合せに含まれる会計情報において示される買上商品が、クーポン出力問合せに含まれるのと同じ会員番号を格納するクーポンセット情報における個別クーポンリストに含まれているか否かについて判定する。クーポン出力問合せに含まれる会計情報において示される買上商品が個別クーポンリストに含まれていた場合、上位情報処理装置１００は、さらに個別クーポンリストに含まれていた買上商品についてクーポンが使用されたことを示すように、クーポン使用履歴情報を更新する。なお、クーポン使用履歴情報において、買上商品についてのこれまでのクーポン使用回数が最大限度にまで到達していた場合には特にクーポン使用履歴情報を更新する必要はない。
【００６３】
ステップＳ２０３：クーポン出力問合せには、前述のようにＰＯＳレジスタ１にて会計を行った顧客の会員番号が含まれている。上位情報処理装置１００は、クーポン情報テーブル１４２に格納されるクーポンセット情報のうち、受信されたクーポン出力問合せに含まれているのと同じ会員番号を格納するクーポンセット情報を参照する。そして、上位情報処理装置１００は、会員番号に対応するクーポンセットリストは、発行期間内であり、かつ未発行であるか否かについて判定する。発行期間内であるか否かについては、参照先のクーポンセット情報において格納される発行期間に現在の日付が含まれるか否かを判定すればよい。また、クーポンセットリストが未発行か否かは、参照先のクーポンセット情報において格納される発行フラグが未発行を示しているか否かを判定すればよい。
【００６４】
ステップＳ２０４：ステップＳ２０３により、クーポンセットリストが発行期間内であり、かつ未発行であると判定された場合、上位情報処理装置１００は、「クーポンセットリスト発行」を指示するクーポン出力指示情報を送信する。
「クーポンセットリスト発行」を指示するクーポン出力指示情報の送信にあたり、上位情報処理装置１００は、参照先のクーポンセット情報の印字内容の領域に格納される全ての個別クーポンに対応するデータを印字データとしてクーポン出力指示情報に含める。
【００６５】
ステップＳ２０５：ステップＳ２０３により、クーポンセットリストが発行期間内ではない、あるいは、クーポンセットリストが発行期間内であっても発行済みであると判定された場合、上位情報処理装置１００は、さらに以下の判定を行う。
つまり、上位情報処理装置１００は、発行済みのクーポンごとのクーポンセットリストに含まれる個別クーポンのうちで使用されずに残っている未使用の個別クーポンが有るか否かについて判定する（ステップＳ２０５）。未使用の個別クーポンが有るか否かの判定は、参照先のクーポンセット情報における個別クーポンリストにおいて示される個別クーポン情報のうちで、クーポン使用履歴情報に含まれていない個別クーポン情報が有るか否を判定すればよい。
【００６６】
ステップＳ２０６：ステップＳ２０５により、未使用の個別クーポンが有ることが判定された場合、上位情報処理装置１００は、クーポンセットの残有効期間が所定以下であるか否かについて判定する。
ステップＳ２０７：クーポンセットの残有効期間が所定以下である場合、上位情報処理装置１００は、「残クーポン情報印字」を指示するクーポン出力指示情報をＰＯＳレジスタ１に送信する。
「クーポンセットリスト発行」を指示するクーポン出力指示情報の送信にあたり、上位情報処理装置１００は、クーポンセット情報の印字内容の領域に格納される個別クーポンのデータのうち、未使用のクーポン情報（残クーポン情報）に対応するデータを印字データとして含める。
【００６７】
ステップＳ２０８：ステップＳ２０５において未使用の個別クーポンの無いことが判定された場合、あるいはステップＳ２０６において残有効期間が所定より長いことが判定された場合、上位情報処理装置１００は以下の処理を実行する。つまり、上位情報処理装置１００は、「クーポン出力不要」を指示するクーポン出力指示情報をＰＯＳレジスタ１に送信する。
【００６８】
＜第２実施形態＞
続いて、第２実施形態について説明する。図１４は、第２実施形態におけるクーポン出力システムの構成例を示している。同図に示されるように、本実施形態のクーポン出力システムは、会計タブレット端末２００、会計サーバ３００（クーポン情報記憶装置の一例）及びプリンタ４００（情報処理端末装置の一例）を備える。
会計サーバ３００は、会計タブレット端末２００及びプリンタ４００と例えばネットワークを経由して通信可能に接続されている。また、会計タブレット端末２００とプリンタ４００とは同じ店舗において備えられる。会計サーバ３００は、会計タブレット端末２００及びプリンタ４００が備えられる店舗に対応して備えられるものであってもよいし、複数の店舗に対応して備えられるものであってもよい。
【００６９】
会計タブレット端末２００は、店員が携帯する端末であって、店員の操作によって客の買上商品の登録が行われる。このような会計タブレット端末２００は、例えば飲食店において顧客から注文されたメニューとしての商品を登録するような場合に使用されることが多い。
会計タブレット端末２００は、店員の操作によって登録された商品の情報（商品登録情報）を会計サーバ３００に送信する。会計サーバ３００は、商品マスタとしての商品に関する情報を記憶している。会計サーバ３００は、商品マスタの情報を利用して、商品登録情報が示す商品についての合計金額を算出し、算出した合計金額の情報を会計タブレット端末２００に対して送信する。会計タブレット端末２００は送信された合計金額の情報を表示する。店員は、会計タブレット端末２００にて表示された合計金額を確認し、会計を行う。例えば、店員は顧客に対して合計金額を伝え、顧客から受け渡された現金を預かり金として受け取る。この際に、預かり金が商品の合計金額よりも多ければ、店員は顧客に釣銭を渡す。
会計サーバ３００は、上記のように行われた取引に対応する会計情報をプリンタ４００に送信する。プリンタ４００は、送信された会計情報が印字されたレシートを発行する。
【００７０】
そのうえで、本実施形態における会計サーバ３００は、第１実施形態における上位情報処理装置１００と同様に、プリンタ４００によるレシートの発行にあたり、クーポン情報の出力に関する制御を行う。
このために会計サーバ３００は、上位情報処理装置１００と同様に会員情報テーブルとクーポン情報テーブルとを記憶する。また、会計タブレット端末２００が会計サーバ３００に送信する商品登録情報には、登録された商品の情報のほかに、商品登録に際して入力された顧客の会員番号が含まれる。
会計サーバ３００は、上記のように会員番号の情報を含む商品登録情報の受信に応じて、図１３のステップＳ２０２〜Ｓ２０８に準じた処理を実行する。本実施形態の場合、会計サーバ３００がステップＳ２０４、Ｓ２０７またはＳ２０８によりクーポン出力指示情報を送信する際の送信先はプリンタ４００となる。
プリンタ４００は、クーポン出力指示の受信に応じて、図１２のステップＳ１０７〜Ｓ１１１の処理を実行する。これにより、クーポンセットリストを発行すべき場合には、プリンタ４００から、レシートとクーポンセットリストとが別のレシート用の用紙に印字されるようにして発行される。また、残クーポン情報を印字すべき場合には、プリンタ４００により、図１１のようにレシート部ｐｔ１に続けて残クーポン情報部ｐｔ２が印字されたレシートが発行される。また、クーポン情報の出力が不要の場合には、レシートのみがプリンタ４００から発行される。
【００７１】
＜変形例＞
以下、本実施形態の変形例について説明する。
［第１変形例］
第１実施形態のもとで、例えば図１のクーポン出力システムの構成に対して、さらにプリンタが備えられてもよい。プリンタは、例えば店舗においてＰＯＳレジスタ１の近傍に設けられ、上位情報処理装置１００と通信可能に接続される。本変形例におけるプリンタは、レシートとは別のクーポンセットリストの発行のために備えられる。
本変形例において、上位情報処理装置１００は、ＰＯＳレジスタ１からのクーポン出力問合せに応答したクーポン出力指示情報を、ＰＯＳレジスタ１とプリンタとのそれぞれに送信する。
上位情報処理装置１００から送信されたクーポン出力指示情報が「クーポンセットリスト発行」を指示するものであった場合、ＰＯＳレジスタ１は印字部１９によりレシートのみを発行させ、プリンタはクーポンセットリストのみを発行する。
また、クーポン出力指示情報が「残クーポン情報印字」を指示するものである場合には、ＰＯＳレジスタ１から図１１のようにレシート部ｐｔ１に続けて残クーポン情報部ｐｔ２が印字されたレシートが発行され、プリンタは特に発行は行わない。
また、クーポン出力指示情報が「クーポン出力不要」を指示するものであった場合には、ＰＯＳレジスタ１からレシートが発行され、プリンタは特に発行は行わない。
このような構成の場合、例えばクーポンセットリストの発行にあたっては、プリンタにおいてレシート用の用紙と異なる形式の用紙を用いることができる。そこで、例えばレシートよりも幅の広い形式の用紙を用いたりすることで、クーポンセットリストに印字する個別クーポン情報を見やすくすることができる。
【００７２】
［第２変形例］
これまでの説明においては、クーポンの内容は、購入された商品に応じて定められたポイントの付与、あるいは商品の値引きであったが、これらに限定されない。例えば、クーポンの内容は、商品の購入に応じた景品、粗品の提供などであってもよい。
【００７３】
［第３変形例］
また、上記各実施形態においては、残有効期間が所定以下となった場合に残クーポン情報付レシートが発行されるようになっている。
しかし、例えばクーポンセットに含まれる個別クーポンの有効期間に基づいて特定の日付を通知開始日として定め、通知開始日以降において残クーポン情報付レシートが発行されるようにしてもよい。
また、例えば月における特定の日、あるいは週における特定の日などを通知日として定めておき、通知日において残クーポン情報付レシートを発行するようにしてもよい。月における特定の日としては、例えば一般的な給料日に基づいて設定することができる。また、週における特定の日については、週末の買い物に合わせて、例えば木曜日や金曜日あたりの曜日を設定することができる。
【００７４】
［第４変形例］
また、例えば使用されずに残っている個別クーポンの数が予め定めた閾値以下になったら残クーポン情報付レシートが発行されるようにしてもよい。この場合には、例えば閾値は、或る特定の固定値であってもよいし、クーポンセットリストに含まれる全個別クーポン数の一定比率に対応する値であってもよい。
【００７５】
［第５変形例］
また、クーポン以外であって顧客にとって有益な情報などがクーポンセットリストや残クーポン情報付レシートの態様によって発行されるようにしてよい。一例として、顧客の購入履歴や属性などに応じて決定した複数のおすすめ商品によるリコメンド商品セットの情報を、クーポンセット情報に代えて会員としての顧客ごとに作成する。そして、顧客の商品の購入に応じて、クーポンセットリストに代えてリコメンド商品セットリストを発行し、リコメンド商品セットに含まれる商品のうちで顧客がまだ購入していない商品（残リコメンド商品）を、残クーポン情報付レシートに代えて残リコメンド商品付レシートとして発行してもよい。
【００７６】
［第６変形例］
また、店舗では、会員に限定した商品の値引きを行う場合がある。このような場合において、会員としての顧客が、会員限定の値引き対象であり、かつ、値引きのクーポンの適用対象である商品を購入する場合、本実施形態のＰＯＳレジスタ１としては、値引き額が多く、結果的に顧客の支払額が少なくなるほうの値引きを適用して小計金額を算出するようにしてよい。
【００７７】
［第７変形例］
また、店員が商品登録を行う登録装置と顧客が精算を行う精算装置とが分離された構成のＰＯＳシステムにも本実施形態の構成を適用することができる。
この場合、登録装置を操作する店員は、会員としての顧客から受け取った会員カードから会員番号を読み取り、顧客の買上商品の登録を行う。登録装置は、上位情報処理装置に対してクーポン出力問合せを送信するとともに、商品登録結果に応じた会計情報を精算装置に送信する。
上位情報処理装置は、クーポン出力問合せの受信に応答したクーポン出力指示情報を精算装置に送信する。精算装置は、登録装置から送信された会計情報を利用して、顧客の操作に応じて精算処理を行う。また、精算装置は、精算処理が終了してレシートを発行するにあたって、上位情報処理装置から送信されたクーポン出力指示情報が示すクーポン出力の指示に従う。
つまり、精算装置は、クーポン出力指示情報が「クーポンセットリスト発行」を指示していれば、レシートとクーポンセットリストとを別の用紙に印字して発行を行う。また、精算装置は、クーポン出力指示情報が「残クーポン情報印字」を指示していれば、残クーポン情報を印字したレシートを発行する。また、精算装置は、クーポン出力指示情報が「クーポン出力不要」を指示していれば、レシートのみを発行する。
また、登録装置が印字部を備えている場合には、クーポンセットリストについては、精算装置ではなく登録装置から発行されるようにして、店員から顧客に渡されるようにしてもよい。
また、このような構成のもとでは、例えば１以上の登録装置のうちのマスタとしての登録装置が上位情報処理装置としての機能を有するようにされてもよい。
【００７８】
［第８変形例］
本実施形態において、顧客をロイヤリティの種別に応じて区別し、ロイヤリティの種別ごとに顧客に付与するクーポンを変更してもよい。
ロイヤリティの種別としては、例えば会員が全て対象となる基本ロイヤリティと、一回の取引における買上金額または一定期間における買上金額の総計に応じて顧客に設定されるランクに応じたロイヤリティ（ランク別ロイヤリティ）との２種類により区別する例を挙げることができる。
そのうえで、クーポンとしては、取引を行った会員の全てを対象とする基本ロイヤリティ対応のクーポンと、会員のランクごとに応じたクーポン（ランク別ロイヤリティ対応のクーポン）とを用意してよい。
【００７９】
［第９変形例］
また、クーポンの発行を禁止する所定の禁止条件を設定し、取引において禁止条件が満たされる場合にはクーポンを出力しないようにしてもよい。例えば前述のようにクーポン使用回数が最大限度にまで到達している場合には、該当のクーポンを出力しないようにすることができる。
【００８０】
［第１０変形例］
本実施形態におけるクーポンは、メーカー協賛のクーポンと販売店独自のクーポンとの２種類があってもよい。メーカー協賛のクーポンとは、店舗にて販売される商品のメーカーが販売促進のために店舗と協賛して顧客に特典を与えるようにされたクーポンである。一方、販売店独自のクーポンとは、メーカーからの協賛とは無関係に、販売店の計画のもとでの販売促進に応じて顧客に特典を与えるようにされたクーポンである。
メーカー協賛のクーポンと販売店独自のクーポンとは、それぞれ、所定の出力条件が設定されており、取引ごとに出力条件が満たされたことに応じて発行されるようにしてよい。クーポンの出力条件には、例えば店舗の会員、非会員のいずれであるのかが反映されるようにしてよい。また、出力条件には、会員に設定されたランクが反映されるようにしてよい。また、出力条件には、ロイヤリティ（クーポンが与えられる特定の権利）の有無が反映されるようにしてよい。また、出力条件には曜日が反映されるようにしてよい。また、出力条件には、対応の取引において購入された商品においてクーポン付与対象の商品が含まれていることとの条件が含まれてよい。
【００８１】
＜実施形態の総括＞
以上説明したように、本実施形態の一態様は、クーポン情報記憶装置と情報処理端末装置とを備え、サービスの提供を受けるために利用されるクーポンを示すクーポン情報を媒体に出力するクーポン出力システムであって、クーポン情報記憶装置において、クーポン情報を記憶する記憶手段と、顧客の商品の支払いに対応する会計処理の内容を示す会計情報とクーポン情報とをそれぞれ別の媒体で情報処理端末装置から出力させる第１情報出力と、会計情報とクーポン情報とを１つの媒体で情報処理端末装置から出力させる第２情報出力とを行う情報出力手段とを備える。
上記構成によれば、第１情報出力によって顧客が使用可能なクーポンをレシートとは別に出力して顧客に周知させた後に、第２情報出力によってクーポンの情報が付加されたレシートを出力してもう一度顧客に周知させることができる。これにより、顧客がクーポンの使用を忘れにくくなり、顧客によるクーポンの使用が促進される。
【００８２】
また、本実施形態の一態様は、上記のクーポン出力システムであって、記憶手段は、クーポンの有効期限とクーポンの使用の履歴に関するクーポン使用履歴情報とをさらに記憶し、情報出力手段は、現在から有効期限に至るまでの期間（残有効期間）が所定以下の場合に、第２情報出力により、クーポン使用履歴情報に基づいて特定された未使用のクーポンに対応するクーポン情報を出力させる。
上記構成によれば、クーポンの有効期限が近づいたときに未使用のクーポンについてのクーポン情報をレシートに付加して出力することができるので、有効期限になる前にクーポンを使用してもらうことを顧客に促すことができる。これにより、クーポンの活用をより有効に顧客に促すことができる。
【００８３】
また、本実施形態の一態様は、上記のクーポン出力システムであって、情報出力手段は、予め定められた発行期間において新規発行対象のクーポン情報を第１情報出力により出力させる。
上記構成によれば、第１情報出力によって新規発行対象のクーポンを顧客に周知させることができる。
【００８４】
また、本実施形態の一態様は、上記のクーポン出力システムであって、情報出力手段は、有効期限に至るまでの期間が所定以上であって、新規発行対象のクーポン情報を出力済みである場合に、会計情報の媒体のみを出力させる第３情報出力を行う。
上記構成によれば、新規発行対象のクーポン情報の出力後において、有効期限に至るまでの期間が所定以上である場合には、クーポン情報を含まないレシートのみの発行が行われる。これにより、例えば有効期間の初期などの第２情報出力によるクーポンの周知があまり有効でない期間においては、クーポン情報が出力されないようにすることができるので、効率的にクーポンを顧客に周知させていくことができる。
【００８５】
また、本実施形態の一態様は、上記のクーポン出力システムであって、出力されるクーポン情報に、当該クーポン情報により示されるクーポンの使用可能回数を含める。
上記構成によれば、出力されたクーポン情報により示されるクーポンについて、残り何回使用できるのかを店員や顧客等が把握することができる。
【００８６】
また、本実施形態の一態様は、サービスの提供を受けるために利用されるクーポンを示すクーポン情報を媒体に出力する情報処理装置であって、顧客の商品の支払いに対応する精算処理の内容を示す精算情報とクーポン情報とをそれぞれ別の媒体で出力させる第１情報出力と、精算情報とクーポン情報とを１つの媒体で出力させる第２情報出力とを行う情報出力手段を備える。
【００８７】
また、本実施形態の一態様は、コンピュータを、サービスの提供を受けるために利用されるクーポンを示すクーポン情報を媒体に出力させるにあたり、顧客の商品の支払いに対応する精算処理の内容を示す精算情報とクーポン情報とをそれぞれ別の媒体で出力させる第１情報出力と、精算情報とクーポン情報とを１つの媒体で出力させる第２情報出力とを行う情報出力手段として機能させるためのプログラムである。
【００８８】
なお、上述のＰＯＳレジスタ１、上位情報処理装置１００、会計タブレット端末２００は、会計サーバ３００及びプリンタ４００などとしての機能を実現するためのプログラムをコンピュータ読み取り可能な記録媒体に記録して、この記録媒体に記録されたプログラムをコンピュータシステムに読み込ませ、実行することにより上述のＰＯＳレジスタ１、上位情報処理装置１００、会計タブレット端末２００は、会計サーバ３００及びプリンタ４００などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【符号の説明】
【００８９】
１  ＰＯＳレジスタ、１１  ＣＰＵ、１２  記憶部、１３  ＲＡＭ、１４  タッチパネル付表示部、１４ａ  タッチパネル、１５  キー操作部、１６  顧客用表示部、１７  自動釣銭機、１７ａ  釣銭排出口、１７ｂ  預金投入口、１８  リーダ部、１９  印字部、２０  通信部、３０  ドロア、１００  上位情報処理装置、１０１  ＣＰＵ、１０２  通信部、１０３  ＲＡＭ、１０４  記憶部、１４１  会員情報テーブル、１４２  クーポン情報テーブル
【図１】
2018088077.tif 000003
【図２】
2018088077.tif 000004
【図３】
2018088077.tif 000005
【図４】
2018088077.tif 000006
【図５】
2018088077.tif 000007
【図６】
2018088077.tif 000008
【図７】
2018088077.tif 000009
【図８】
2018088077.tif 000010
【図９】
2018088077.tif 000011
【図１０】
2018088077.tif 000012
【図１１】
2018088077.tif 000013
【図１２】
2018088077.tif 000014
【図１３】
2018088077.tif 000015
【図１４】
2018088077.tif 000016